(57)【要約】  【課題】床下と室内間の相互自然換気が可能で、その相互自然換気に十分な開口面積を確保でき、しかも施工後開口部が隠れて見えないために見た目がよく、比較的安価にて供給し得る換気幅木を提供することを課題とする。【解決手段】横長の板材１で構成され、板材１はその表面下部に、横方向に延びる外側通気口３を設けた通気溝２を備えると共に、その内面下部に、外側通気口３に連通する内側通気口４を備え、施工時において外側通気口３と内側通気口４が、床面及び／又は壁面に形成される通気路２３に連通することにより、床下と室内との相互換気を可能にした。【選択図】図５
2010048047.tif 000002
【特許請求の範囲】
【請求項１】
横長の板材で構成され、前記板材は、その表面下部に横方向に延びる外側通気口を設けた通気溝を備えると共に、その内面下部に前記外側通気口に連通する内側通気口を備え、施工時において前記外側通気口と内側通気口が、床面及び／又は壁面に形成される通気路に連通することにより、床下と室内との相互換気を可能にしたことを特徴とする換気幅木。
【請求項２】
前記通気溝は断面半円形で、前記外側通気口は、前記通気溝の上半部に形成されている、請求項１に記載の換気幅木。
【請求項３】
前記板材はその上部に、その長さ方向に延びる釘溝を有している、請求項１又は２に記載の換気幅木。
【請求項４】
前記板材は、その底面に軟質樹脂製隠蔽材を備えている、請求項１乃至３のいずれかに記載の換気幅木。
【請求項５】
前記外側通気口の奥の通気空間に、目隠し壁を形成した、請求項１乃至４のいずれかに記載の換気幅木。
【請求項６】
前記板材の表面に、木目調等の化粧シートが張設されている、請求項１乃至５のいずれかに記載の換気幅木。
【請求項７】
前記板材の裏面に、接着力を高めるための微小凹凸部が形成されている、請求項１乃至６のいずれかに記載の換気幅木。
【請求項８】
前記板材は、その表面の全体又は一部に蓄光部を含む、請求項１乃至７のいずれかに記載の換気幅木。
【発明の詳細な説明】
【技術分野】
【０００１】
本発明は換気幅木、より詳細には、主に基礎断熱の家屋において、室内の壁と床の取合い部分を納めるために壁の最下部に渡される幅木であって、室内と床下空間との間の通気を可能にする換気幅木に関するものである。
【背景技術】
【０００２】
一般家屋において、室内の壁と床の取合い部分を納めるために壁の最下部に幅木が渡される。近時、この幅木に、その本来の役割の他に、通気機能、即ち、幅木を介して室内と室外空間とを連通させ、その間の通気を可能にするものが提案されている。
【０００３】
このような幅木を提案するものとしては、特開平９−１７７２９０号公報、特開２００３−２７８３７３号公報、特開２００４−１８３９６８号公報及び特開２００８−８０１３号公報に記載の発明を挙げることができる。これらの発明のうち、特開平９−１７７２９０号公報に記載のものは、幅木をずらして設置することによって通気空間を保持するものであり、他の三者は幅木自体に通気口を設けるものである。
【０００４】
しかし、これらのうち、特開平９−１７７２９０号公報及び特開２００４−１８３９６８号公報に記載の発明の場合は、施工後開口部が露見状態となるために見た目が悪いものとなるという欠点があり、特開２００３−２７８３７３号公報及び特開２００４−１８３９６８号公報に記載の発明の場合は、床下と室内との間の相互自然換気は想定されておらず、また、特開２００８−８０１３号公報に記載の発明の場合は、貫通孔が裏面に抜けるので、裏面側を壁面に密着させることができず、裏面側に通気空間のない個所には使用できないという欠点がある。
【０００５】
【特許文献１】特開平９−１７７２９０号公報
【特許文献２】特開２００３−２７８３７３号公報
【特許文献３】特開２００４−１８３９６８号公報
【特許文献４】特開２００８−８０１３号公報
【発明の開示】
【発明が解決しようとする課題】
【０００６】
上記従来の換気幅木には上述したような問題があったので、本発明はそのような問題のない、即ち、床下と室内間の相互換気が可能で、その相互換気に十分な開口面積を確保でき、しかも施工後開口部が隠れて見えないために見た目がよく、比較的安価にて供給し得る換気幅木を提供することを課題とする。
【課題を解決するための手段】
【０００７】
上記課題を解決するための請求項１に記載の発明は、横長の板材で構成され、前記板材は、その表面下部に横方向に延びる外側通気口を設けた通気溝を備えると共に、その内面下部に前記外側通気口に連通する内側通気口を備え、施工時において前記外側通気口と内側通気口が、床面及び／又は壁面に形成される通気路に連通することにより、床下と室内との相互換気を可能にしたことを特徴とする換気幅木である。
【０００８】
好ましくは、前記通気溝は断面半円形で、前記外側通気口は、前記通気溝の上半部に形成される。また、前記板材は、その上部にその長さ方向に延びる釘溝を有するものとされる。
【０００９】
また、好ましい実施形態においては、前記板材は、底面に軟質樹脂製遮蔽材を備えたものとされ、前記板材の表面に木目調等の化粧シートが張設され、更に前記板材の裏面に、接着力を高めるための微小凹凸部が形成される。更に、前記外側通気口の奥の通気空間に目隠し壁を形成することがあり、また、前記板材の表面の全体又は一部に蓄光部を含ませることもある。
【発明の効果】
【００１０】
本発明は上記のとおりであって、外側通気口は通気溝の、好ましくは上半部に奥に向かって上向きに設けられるために、平時目につかず、通気口の存在によって外観が損なわれることがなく、また、特に前記通気溝を断面半円形とすることにより十分な開口面積を確保することができ、外側通気口と内側通気口が、施工時において床面及び／又は壁面に形成される通気路に連通するため、床下と室内との間の良好な相互換気が可能となる効果があり、また、構成簡易なため、比較的安価にて供給し得る効果がある。
【発明を実施するための最良の形態】
【００１１】
以下に、本発明を実施するための最良の形態について、図面に依拠して説明する。本発明に係る換気幅木は、横長の板材１から成るもので、板材１の表面の下部に、横方向に延びる外側通気口３を設けた通気溝２が形成される。外側通気口３は、後述する内側通気口４と連通するように形成され、施工時において床面及び／又は壁面に形成される通気路に連通して、床下と室内との間の相互換気（自然換気及び機械換気を含む）を可能にする役割を果たす。
【００１２】
通例、板材１には、その下部に通気溝２を設ける他に、その上部に、その長さ方向に延びる釘溝５が形成される。通気溝２及び釘溝５は、通例、断面半円形を呈するものとされ、外側通気口３は、好ましくは、図２に示されるように、通気溝２の上半部に形成される。外側通気口３をこのように通気溝２の上半部に形成することで、通常斜め上方からしか見ることのない幅木において、外側通気口３が日常目に晒されることはなくなる。また、通気溝２を断面半円形のものとすることにより、外側通気口３の開口面積を十分に広いものとすることができ、且つ、淀みない通気を可能にすることができる。        
【００１３】
板材１は、ＡＢＳ等の樹脂製（タルク、木片等を混入することもある）で、通例、押出成形により横長に形成される。その成形に際しては、軽量化及び材料節約のために、適宜肉抜きする。最下端の肉抜き部は通気空間７となるもので、内側通気口４は、一旦押出成形して製造した板材１の底面８を、事後に適宜手段で部分的に切除（切除部８ａ）することによって形成される。また、外側通気口３は、押出成形時に、板材１の一端から他端にかけて形成され、通気空間７を介して内側通気口４と連通する。
【００１４】
外側通気口３は、上述したように通気溝２の上半部に形成することで、日常目に晒されるおそれはないが、なお一層内部を見にくくするために、外側通気口３の奥の通気空間７に、目隠し壁９を形成することもある（図２参照）。その場合、目隠し壁９を、図示したように通気溝２の曲面から少し後退させて設けることで、外側通気口３の開口面積を広げることができる。なお、この目隠し壁９は、曲面にしてもよい。
【００１５】
通例、板材１の表面には、木目調等の化粧シート１０が張設され、また、接着剤によって壁面等に固定されることになるその裏面には、接着力を高めるための微小凹凸部１１が形成される。また、板材１の底面には、柔軟樹脂製の隠蔽部材１２が設置される。隠蔽部材１２は、図示したような湾曲板であってもよいし、チューブ材であってもよい。この隠蔽部材１２は、施工後、適度に湾曲しあるいは潰れた状態で床面２１に接することで、本幅木と床面２１との間の隙間を閉塞し、ゴミが進入して貯まることを防止する。なお、隠蔽部材１２は、板材１に後付けすることとしてもよいが、板材１に一体成形することもできる。
【００１６】
更に、板材１の表面の全体又は一部を、例えば、蓄光素材を練り込んだ樹脂にて成形したり、蓄光塗料を塗布したりして蓄光部１３とすることもある。図２においては、蓄光部１３を板材１と別体に成形して、通気溝２の下縁に沿って部分的に配設する例が示されているが、もちろん蓄光部１３と板材１とを一体成形することもできる。この蓄光部１３は、夜間薄発光して、夜間歩行時における安全性を確保する役目を果たす。
【００１７】
図３に示す実施形態は、外側通気口３をより簡易な構成にしたもので、通気溝２における斜交線部１４を裏面に向けて切除することによって、外側通気口３を形成するようにしている。また、図４に示す実施形態では、通気溝２における斜交線部１５を斜め上方に向けて切除することによって（加工の関係上、裏面をも貫くこともある）、外側通気口３を形成するようにしており、更に、外側通気口３の端縁に斜め上方に立ち上がるガイド板６を設けることもある。
【００１８】
本発明に係る換気幅木は、一般の幅木と同様に、板材１の裏面を壁面等の下端部に接着し、また、釘溝５に釘打ちして固定するが、その施工に先立ち、床面２１及び／又は壁面２２に、通気路２３、２４を形成しておく（図５、６参照）。具体的には、床面２１については、床面（フローリング）２１からその下の構造用合板２５を貫いて床下空間に通じる通気路２３を設ける（図５参照）。また、壁面２２については、柱間に渡される石膏ボードの下部の通気空間に対応する個所を切除し、その切除部から柱間を通って床下空間に通じる通気路２４を設ける（図６参照）。
【００１９】
かくして室内空間が、外側通気口３、通気空間７、内側通気口４及び通気路２３又は２４を介して床下空間と連通し、相互換気が可能となる。なお、図６において２６は土台、２７は基礎コンクリート、２８は基礎コンクリート２７の外側及び／又は内側（図６では内側にのみ示されている）に張設された基礎断熱材を示している。
【００２０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２１】
【図１】本発明に係る換気幅木の一実施形態の正面図である。
【図２】図１におけるＡ−Ａ線及びＢ−Ｂ線断面図である。
【図３】本発明に係る換気幅木の他の実施形態の縦断面図である。
【図４】本発明に係る換気幅木の更に他の実施形態の縦断面図である。
【図５】本発明に係る換気幅木の一実施形態の使用状態図である。
【図６】本発明に係る換気幅木の一実施形態の他の使用状態図である。
【符号の説明】
【００２２】
１      板材
２      通気溝
３      外側通気口
４      内側通気口
５      釘溝
６      ガイド板
７      通気空間
８      切除部
９      目隠し壁
１０      化粧シート
１１      微小凹凸部
１２      隠蔽部材
１３      蓄光部
１４      斜交線部
１５      斜交線部
２１      床面
２２      壁面
２３      通気路
２４      通気路
２５      構造用合板
２６      土台
２７      基礎コンクリート
２８      基礎断熱材
【図１】
2010048047.tif 000003
【図２】
2010048047.tif 000004
【図３】
2010048047.tif 000005
【図４】
2010048047.tif 000006
【図５】
2010048047.tif 000007
【図６】
2010048047.tif 000008